(57)【要約】【課題】  両面印刷可能な画像形成装置を小型化する。【解決手段】  両面印刷の場合、記録媒体は、片面に現像剤を定着された後に、排出ロール４０により排出口３４から排出される方向（排出方向）に搬送されて、搬送方向後端が加熱ロール５６と加圧ロール５８との間を通過したことを、制御部６４が記録媒体検知センサ６０の検知結果に応じて判断すると、制御部６４の制御により反転した排出ロール４０により、ニップ部を解除された加熱ロール５６と加圧ロール５８との間に向けて戻される。さらに排出ロール４０が反転すると、記録媒体は、加熱ロール５６と加圧ロール５８との間を通って、反転路４６が開くように切替えられた切換爪４８に案内されて、反転路４６に戻される。【選択図】          図１
2006201442.tif 000002
【特許請求の範囲】
【請求項１】
像形成部と、この像形成部により記録媒体に形成された像を記録媒体に定着させる定着装置と、この定着装置を通過した記録媒体を反転させて前記定着装置を再び通過させるように制御する反転制御手段と、この反転制御手段により反転された記録媒体を前記像形成部に戻す反転路とを有することを特徴とする画像形成装置。
【請求項２】
前記反転制御手段により反転された記録媒体を前記反転路に案内する案内手段を有し、この案内手段は、前記定着装置の上流側に配置されていることを特徴とする請求項１記載の画像形成装置。
【請求項３】
前記定着装置は、記録媒体を間に通すことによって記録媒体に形成された像を記録媒体に定着させる１対のロールを有し、前記反転制御手段は、前記１対のロールを反転させるように制御することにより、前記定着装置を通過した記録媒体を反転させて前記定着装置を再び通過させることを特徴とする請求項１又は２記載の画像形成装置。
【請求項４】
前記１対のロールは、正転することによって像を定着された記録媒体を画像形成装置本体外に排出することを特徴とする請求項１乃至３いずれか記載の画像形成装置。
【請求項５】
前記１対のロールの下流側に設けられ、像を形成された記録媒体を画像形成装置本体外に排出する排出ロールを有し、前記反転制御手段は、前記排出ロールを反転させるように制御することにより、前記定着装置を通過した記録媒体を反転させて前記定着装置を再び通過させることを特徴とする請求項１乃至３いずれか記載の画像形成装置。
【請求項６】
前記反転制御手段の制御により前記定着装置を通過した記録媒体が反転されて前記定着装置を再び通過する際、前記１対のロールにより形成されるニップ部が解除されていることを特徴とする請求項５記載の画像形成装置。
【請求項７】
前記１対のロールと前記排出ロールとの間を記録媒体が通過したか否かを検知する検知手段を有し、前記反転制御手段は、記録媒体が前記１対のロールと前記排出ロールとの間を通過したことを前記検知手段が検知した場合に、前記排出ロールを反転させるように制御することを特徴とする請求項５又は６記載の画像形成装置。
【請求項８】
前記排出ロールは、前記１対のロールと略同じ高さに配置されていることを特徴とする請求項５乃至７いずれか記載の画像形成装置。
【請求項９】
前記１対のロールの間に記録媒体が所定時間停止していることを検知する停止検知手段と、この停止検知手段により記録媒体が所定時間停止していることが検知された場合に、前記１対のロールを正転させるように制御する正転制御手段とをさらに有することを特徴とする請求項１乃至８いずれか記載の画像形成装置。
【請求項１０】
前記１対のロールの間を通る記録媒体に形成された像を記録媒体に定着させるように加熱する加熱手段と、この加熱手段の加熱量を制御する加熱量制御手段とを有し、前記加熱量制御手段は、前記反転制御手段が記録媒体を反転させて定着装置を再び通過させるように制御する場合に、前記加熱手段による加熱量が下がるように制御することを特徴とする請求項１乃至９いずれか記載の画像形成装置。
【請求項１１】
前記反転路により前記像形成部に戻された記録媒体に形成された像を前記定着装置が記録媒体に定着させる場合、前記加熱量制御手段は、定着装置を通過していない記録媒体に形成された像を記録媒体に定着させる場合よりも前記加熱手段による加熱量が下がるように制御することを特徴とする請求項１０記載の画像形成装置。
【請求項１２】
記録媒体に対して両面に像を形成する両面モードと片面に像を形成する片面モードとを切替える切替え手段を有し、前記加熱量制御手段は、前記切替え手段が両面モードに切替えた場合、前記切替え手段が片面モードに切替えた場合よりも前記加熱手段による加熱量が下がるように制御することを特徴とする請求項１０又は１１記載の画像形成装置。
【発明の詳細な説明】
【技術分野】
【０００１】
本発明は、プリンタ、複写機又はファクシミリ等の画像形成装置に関するものである。
【背景技術】
【０００２】
記録媒体を反転させて、記録媒体の両面に画像を形成する画像形成装置が知られている。
この種の画像形成装置において、片面に画像が定着された記録媒体が定着装置の上方を通って反転するように反転路を設け、記録媒体を反転させることは公知である。
【発明の開示】
【発明が解決しようとする課題】
【０００３】
しかしながら、定着装置の上方又は下方に反転路を設けるスペースが必要になるので、画像形成装置を小型化することができないという問題があった。
【０００４】
本発明の目的は、両面印刷可能な画像形成装置を小型化することにある。
【課題を解決するための手段】
【０００５】
上記目的を達成するため、本発明の特徴とするところは、像形成部と、この像形成部により記録媒体に形成された像を記録媒体に定着させる定着装置と、この定着装置を通過した記録媒体を反転させて前記定着装置を再び通過させるように制御する反転制御手段と、この反転制御手段により反転された記録媒体を前記像形成部に戻す反転路とを有する画像形成装置にある。したがって、記録媒体が定着装置の上方又は下方を通って反転するように反転路を設けるスペースが不要になり、両面印刷を可能にしつつ、画像形成装置を小型化することができる。
【０００６】
好適には、前記反転制御手段により反転された記録媒体を前記反転路に案内する案内手段を有し、この案内手段は、前記定着装置の上流側に配置されている。即ち、記録媒体を反転路に案内する案内手段を配置するスペースを定着装置の下流側に設けることなく、記録媒体を反転させることができるので、両面印刷を可能にしつつ、画像形成装置を小型化することができる。
【０００７】
また、好適には、前記定着装置は、記録媒体を間に通すことによって記録媒体に形成された像を記録媒体に定着させる１対のロールを有し、前記反転制御手段は、前記１対のロールを反転させるように制御することにより、前記定着装置を通過した記録媒体を反転させて前記定着装置を再び通過させる。即ち、像を記録媒体に定着させる１対のロールの下流に記録媒体を反転路に導くための反転ロールなどを設けることなく、記録媒体を反転路に導くことができ、画像形成装置を小型化することができる。
【０００８】
また、好適には、前記１対のロールは、正転することによって像を定着された記録媒体を画像形成装置本体外に排出する。即ち、像を記録媒体に定着させる１対のロールの下流に記録媒体を画像形成装置本体外に排出するためのロールなどを設けることなく、１対のロールが正転することによって記録媒体を排出することができ、画像形成装置を小型化することができる。
【０００９】
また、好適には、前記１対のロールの下流側に設けられ、像を形成された記録媒体を画像形成装置本体外に排出する排出ロールを有し、前記反転制御手段は、前記排出ロールを反転させるように制御することにより、前記定着装置を通過した記録媒体を反転させて前記定着装置を再び通過させる。したがって、像を記録媒体に定着させる１対のロールが反転しない場合にも、排出ロールが反転することにより、記録媒体を反転路に導くことができる。
【００１０】
また、好適には、前記反転制御手段の制御により前記定着装置を通過した記録媒体が反転されて前記定着装置を再び通過する際、前記１対のロールにより形成されるニップ部が解除されている。これにより、記録媒体がスムーズに反転されることに加え、反転中の記録媒体に定着装置から伝わる熱も抑えることができる。
【００１１】
また、好適には、前記１対のロールと前記排出ロールとの間を記録媒体が通過したか否かを検知する検知手段を有し、前記反転制御手段は、記録媒体が前記１対のロールと前記排出ロールとの間を通過したことを前記検知手段が検知した場合に、前記排出ロールを反転させるように制御する。即ち、１対のロールによって像を定着された記録媒体が１対のロールから離れた後に排出ロールを反転させることができるので、記録媒体に形成された像全体を確実に定着させることができる。
【００１２】
また、好適には、前記排出ロールは、前記１対のロールと略同じ高さに配置されている。即ち、記録媒体を１対のロールの間に通すことによって反転させるので、排出ロールを１対のロールと略同じ高さに配置することにより、画像形成装置の高さを低くすることができる。
【００１３】
また、好適には、前記１対のロールの間に記録媒体が所定時間停止していることを検知する停止検知手段と、この停止検知手段により記録媒体が所定時間停止していることが検知された場合に、前記１対のロールを正転させるように制御する正転制御手段とをさらに有する。したがって、１対のロールの間に反転する記録媒体が詰っても、１対のロールが正転することにより、１対のロールの間に詰った記録媒体を排出する方向に送り出すことができる。
【００１４】
また、好適には、前記１対のロールの間を通る記録媒体に形成された像を記録媒体に定着させるように加熱する加熱手段と、この加熱手段の加熱量を制御する加熱量制御手段とを有し、前記加熱量制御手段は、前記反転制御手段が記録媒体を反転させて定着装置を再び通過させるように制御する場合に、前記加熱手段による加熱量が下がるように制御する。即ち、加熱手段による不要な加熱を防止することができる。
【００１５】
また、好適には、前記反転路により前記像形成部に戻された記録媒体に形成された像を前記定着装置が記録媒体に定着させる場合、前記加熱量制御手段は、定着装置を通過していない記録媒体に形成された像を記録媒体に定着させる場合よりも前記加熱手段による加熱量が下がるように制御する。即ち、定着装置によって像を一度定着された記録媒体は、像を一度も定着されていない記録媒体よりも温度が高いので、加熱手段による加熱量が下げられても、反転路により像形成部に戻された記録媒体に像を定着させることができる。
【００１６】
また、好適には、記録媒体に対して両面に像を形成する両面モードと片面に像を形成する片面モードとを切替える切替え手段を有し、前記加熱量制御手段は、前記切替え手段が両面モードに切替えた場合、前記切替え手段が片面モードに切替えた場合よりも前記加熱手段による加熱量が下がるように制御する。即ち、両面モードに切替えられた場合、記録媒体が２度加熱されるので、定着装置は、両面に形成された像それぞれを、片面モードの場合よりも少ない加熱量によって記録媒体に定着させることができる。
【発明の効果】
【００１７】
本発明によれば、両面印刷可能な画像形成装置を小型化することができる。
【発明を実施するための最良の形態】
【００１８】
次に本発明の実施形態を図面に基づいて説明する。
図１において、本発明の実施形態に係る画像形成装置１０の概略が示されている。画像形成装置１０は、画像形成装置本体１２を有し、この画像形成装置本体１２内に像形成部１４が搭載され、この画像形成装置本体１２の上部に排出部１６が設けられていると共に、この画像形成装置本体１２の下部に給紙ユニット１８が配置されている。
なお、画像形成装置１０は、システムとしてはネットワークを介して接続されるパーソナルコンピュータ（ＰＣ）やその他の端末装置を含むことがある。
【００１９】
排出部１６は、排出口部分が低く、正面方向（図１の右方向）に向けて徐々に高くなるよう傾斜している。給紙ユニット１８の奥端近傍上部には給紙ロール２４が配置され、この給紙ロール２４の前方にリタードロール２６及びナジャーロール２８が配置されている。
搬送路３２は、給紙ユニット１８のリタードロール２６及びナジャーロール２８から排出口３４までの記録媒体通路であり、この搬送路３２は、画像形成装置本体１２の裏面（図１の左側面）近傍にあって、給紙ユニット１８のリタードロール２６及びナジャーロール２８から後述する定着装置３６まで略垂直に形成されている部分を有する。この搬送路３２の定着装置３６の上流側に後述する転写ロール４２と像担持体４４が配置され、さらに転写ロール４２と像担持体４４の上流側にレジストロール３８が配置されている。また、搬送路３２の排出口３４の近傍には、定着装置３６と略同じ高さに排出ロール４０が配置されている。
【００２０】
したがって、給紙ユニット１８から給紙ロール２４により送り出された記録媒体は、リタードロール２６びナジャーロール２８により捌かれて搬送路３２に導かれ、レジストロール３８により一時停止され、タイミングをとって後述する転写ロール４２と像担持体４４との間を通って現像剤像が転写され、この転写された現像剤像が定着装置３６により定着され、排出ロール４０により排出口３４から排出部１６へ排出される。
【００２１】
ただし、両面印刷の場合は、反転路４６に戻される。即ち、搬送路３２の定着装置３６の上流側は２股に別れ、その分かれた部分に切換爪４８が設けられていると共に、分かれた部分からレジストロール３８まで戻る反転路４６が形成されている。この反転路４６には搬送ロール５０が設けられており、両面印刷の場合には、切換爪４８が反転路４６を開く側に切り換えられ、後述する第２のセンサ６０の検知結果に応じて、排出ロール４０に記録媒体の搬送方向後端が達した時点で排出ロール４０が反転し、記録媒体が反転路４６に導かれ、レジストロール３８、転写ロール４２と像担持体４４及び定着装置３６を通って排出口３４から排出部１６へ排出されるものである。また、レジストロール３８の上流側には、搬送路３２又は反転路４６を通ってレジストロール３８に導かれる記録媒体の有無を検知する第１のセンサ５２が設けられている。
【００２２】
像形成部１４は、例えば電子写真方式のもので、プロセスカートリッジ５４と、レーザ光により像担持体４４に潜像を書き込む光書込み装置（図示せず）と、現像剤像を記録媒体に転写する転写ロール４２とから構成されている。プロセスカートリッジ５４は、例えば感光体からなる像担持体４４と、像担持体４４を帯電させる帯電装置及び像担持体４４に書き込まれた潜像を可視化する現像装置（共に図示せず）などを含むものである。
【００２３】
定着装置３６は、ユニット化され、加熱ロール５６及び加圧ロール５８からなる１対のロールと、記録媒体の有無を検知する第２のセンサ６０とを有する。加熱ロール５６内には、例えばランプなどからなるヒータ６２が設けられており、このヒータ６２は加熱ロール５６を加熱する。また、加熱ロール５６は、加圧ロール５８の押圧により、加熱ロール５６と加圧ロール５８との間を通る記録媒体に転写されている現像剤像に熱と圧力とを加えて、現像剤像を記録媒体に定着させる。第２のセンサ６０は、搬送路３２の加熱ロール５６及び加圧ロール５８と排出ロール４０との間を通る記録媒体の有無を検知する。
なお、加熱ロール５６は、ＩＨ方式のもの（Induction  Heating  Fuser）であってもよい。加熱ロール５６がＩＨ方式である場合には、不使用時の通電がなくなり、熱を効率的に利用することができる。
【００２４】
また、画像形成装置１０内には、画像形成装置１０を構成する各部を制御する制御部６４が配設されている。例えば、制御部６４は、記録媒体に対して両面に画像を形成する両面モード又は片面に画像を形成する片面モードなどの動作モードを設定する信号を画像形成装置１０に接続されたＰＣなどから受け入れ、画像形成装置１０が設定に応じて印刷を行うよう制御する。また、制御部６４は、第１のセンサ５２及び第２のセンサ６０が検出した記録媒体の有無の検出結果を受け入れ、この検出結果の状態変化の時間と、記録媒体のサイズ及び搬送速度などから記録媒体の通過及び停止などを判断するようにされている。
【００２５】
次に、画像形成装置１０が両面モードに設定された場合に制御部６４が行う制御について説明する。
図２は、画像形成装置が両面モードに設定された場合の制御信号の流れを示すブロック図である。なお、図２において、図１に示した画像形成装置１０を構成する各部と実質的に同じものには、同一の符号が付してある。
制御部６４は、ＣＰＵ６６及びメモリ６８を含み、動作モードを両面モードに設定する信号を受け入れると、第１のセンサ５２及び第２のセンサ６０の検知結果に応じて切換爪４８、ヒータ６２、荷重調整機構７０及び第１の駆動部７２，７４を制御する。荷重調整機構７０は、弾性部材などを含み、加圧ロール５８による加熱ロール５６に対する荷重を調整することにより、加熱ロール５６と加圧ロール５８との間のニップ部の形成及び解除を行う。
【００２６】
第１の駆動部７２は、正転及び反転するモータを含み、制御部６４の制御によって加熱ロール５６及び加圧ロール５８をそれぞれ回転させる。以下、加熱ロール５６及び加圧ロール５８について、記録媒体を排出ロール４０に向けて搬送する方向（搬送方向）の回転を正転とする。
第２の駆動部７４は、正転及び反転するモータを含み、制御部６４の制御によって排出ロール４０を回転させる。以下、排出ロール４０について、記録媒体を排出部１６に排出する方向（搬送方向）の回転を正転とする。
【００２７】
図３は、画像形成装置が両面モードに設定された場合に、制御部６４が行う処理（Ｓ１０）を示すフローチャートである。
図３に示すように、ステップ１００（Ｓ１００）において、制御部６４は、第１のセンサ５２の検知結果に応じて給紙ユニット１８から記録媒体が供給されたか否かを判断し、給紙ユニット１８から記録媒体が供給されたと判断した場合にＳ１０２の処理に進む。
【００２８】
ステップ１０２（Ｓ１０２）において、制御部６４は、記録媒体の表面（第１面）に転写される現像剤像を記録媒体に定着させるため、加熱ロール５６を所定の温度にするように、ヒータ６２を昇温させる。
【００２９】
ステップ１０４（Ｓ１０４）において、制御部６４は、荷重調整機構７０を介し、加圧ロール５８による加熱ロール５６に対する荷重を調整することにより、加熱ロール５６と加圧ロール５８との間のニップ部（定着ニップ部）を形成する。
【００３０】
ステップ１０６（Ｓ１０６）において、制御部６４は、第１の駆動部７２を介し、加熱ロール５６及び加圧ロール５８を正転させる。
【００３１】
ステップ１０８（Ｓ１０８）において、制御部６４は、像担持体４４及び転写ロール４２により現像剤像を転写された記録媒体を、正転している加熱ロール５６と加圧ロール５８との間に案内し、記録媒体に現像剤像を定着させる。
【００３２】
ステップ１１０（Ｓ１１０）において、制御部６４は、第２の駆動部７４を介し、排出ロール４０を正転させる。
【００３３】
ステップ１１２（Ｓ１１２）において、制御部６４は、第２のセンサ６０を介して搬送路３２を通る記録媒体の有無の状態変化を取得して、現像剤像を定着された記録媒体（搬送方向後端）が加熱ロール５６と加圧ロール５８との間（定着ニップ部）を通過したか否かを判断し、記録媒体が定着ニップ部を通過したと判断した場合にＳ１１４の処理に進む。
【００３４】
ステップ１１４（Ｓ１１４）において、制御部６４は、ヒータ６２を例えば停止（オフ）させ、ヒータ６２の加熱ロール５６に対する加熱量を下げる。
【００３５】
ステップ１１６（Ｓ１１６）において、制御部６４は、荷重調整機構７０を介し、加熱ロール５６と加圧ロール５８との間の定着ニップ部を解除する。
【００３６】
ステップ１１８（Ｓ１１８）において、制御部６４は、第１の駆動部７２を介し、加熱ロール５６と加圧ロール５８との回転を停止させる。
【００３７】
ステップ１２０（Ｓ１２０）において、制御部６４は、反転路４６を開く側に切換爪４８を切り換える。
【００３８】
ステップ１２２（Ｓ１２２）において、制御部６４は、第２の駆動部７４を介し、記録媒体の搬送方向後端が排出ロール４０を通過する前に、排出ロール４０を反転させる。
【００３９】
ステップ１２４（Ｓ１２４）において、制御部６４は、定着ニップ部を解除された加熱ロール５６と加圧ロール５８との間（定着装置３６）に記録媒体を排出ロール４０の反転によって通し、切換爪４８によって反転路４６に案内する。
【００４０】
ステップ１２６（Ｓ１２６）において、制御部６４は、反転した記録媒体の有無を第１のセンサ５２が検知したか否かにより、記録媒体が反転したか否かを判断し、記録媒体が反転したと判断した場合にＳ１２８の処理に進む。
【００４１】
ステップ１２８（Ｓ１２８）において、制御部６４は、搬送路３２を開く側に切換爪４８を再び切り替えて、記録媒体の裏面印刷の処理を行う。
【００４２】
次に上記実施形態の作用例について説明する。
画像形成信号が送られると、帯電された像担持体４４には、画像信号に基づいて図示しない光書込み装置から発した光が照射され、潜像が形成される。この像担持体４４の潜像はプロセスカートリッジ５４内の現像剤により可視化される。
【００４３】
一方、給紙ユニット１８に収納された記録媒体は、ピックアップロール２４により送り出され、リタードロール２６及びフィードロール２８により捌かれて主搬送路３２に導かれ、レジストロール３８により一時停止され、タイミングをとって転写装置４２と像担持体４４との間に導かれる。ここで、制御部６４は、記録媒体がレジストロール３８により一時停止されていることを第１のセンサ５２の検知結果に応じて判断すると、搬送路３２が開くように切換爪４８を切り替える。記録媒体が転写装置４２と像担持体４４との間に導かれると、像担持体４４上の現像剤が転写装置４２により記録媒体に転写される。
【００４４】
現像剤を転写された記録媒体は、切換爪４８に案内されて、定着装置３６に導かれ、加熱ロール５６と加圧ロール５８とによって熱と圧力とを加えられ、現像剤を定着される。現像剤が定着した記録媒体は、排出ロール４０により排出口３４から排出部１６へ排出される。
【００４５】
ただし、両面印刷の場合には、記録媒体は、片面に現像剤を定着された後に、排出ロール４０により排出口３４から排出される方向（排出方向）に搬送されて、搬送方向後端が加熱ロール５６と加圧ロール５８との間を通過したことを、制御部６４が記録媒体検知センサ６０の検知結果に応じて判断すると、制御部６４の制御により反転した排出ロール４０により、ニップ部を解除された加熱ロール５６と加圧ロール５８との間に向けて戻される。さらに排出ロール４０が反転すると、記録媒体は、加熱ロール５６と加圧ロール５８との間を通って、反転路４６が開くように切替えられた切換爪４８に案内されて、反転路４６に戻され、再びレジストロール３８、転写装置４２と像担持体４４及び定着装置３６を通って排出口３４から排出部１６へ排出される。
【００４６】
なお、上記実施形態においては、画像形成装置１０は、両面印刷の場合に、記録媒体の搬送方向後端が加熱ロール５６と加圧ロール５８との間を通過した後、排出ロール４０が反転することにより、記録媒体をニップ部が解除された加熱ロール５６と加圧ロール５８との間に通して反転路４６に戻す例について説明したが、これに限定されることなく、加熱ロール５６及び加圧ロール５８を反転させることにより、記録媒体を反転路４６に戻すようにしてもよい。
【００４７】
例えば、ニップ部を形成された加熱ロール５６と加圧ロール５８との間に記録媒体の搬送方向後端が達した場合に、制御部６４は、加熱ロール５６及び加圧ロール５８を反転させて記録媒体を反転路４６に戻すようにしてもよい。また、記録媒体の搬送方向後端が加熱ロール５６と加圧ロール５８との間を通過したことが、制御部６４により記録媒体検知センサ６０の検知結果に応じて判断されると、記録媒体が、制御部６４の制御により反転した排出ロール４０によって、荷重調整機構７０によりニップ部が形成されている加熱ロール５６と加圧ロール５８との間に向けて記録媒体が戻され、加熱ロール５６及び加圧ロール５８が反転することにより、記録媒体を反転路４６に戻すようにしてもよい。
【００４８】
なお、ニップ部を形成されている加熱ロール５６と加圧ロール５８との間に記録媒体の搬送方向後端が達したか否かは、制御部６４が、例えば第２のセンサ６０の検知結果、記録媒体のサイズ及び搬送速度などを用いて記録媒体の搬送方向後端が加熱ロール５６と加圧ロール５８との間に達するタイミングを算出することによって判断するようにしてもよいし、定着装置３６の上流に記録媒体の有無を検知するセンサを設けて判断するようにしてもよい。
【００４９】
さらに、第２のセンサ６０の検知結果により、加熱ロール５６及び加圧ロール５８と排出ロール４０との間で記録媒体が詰ることなどによって所定時間以上停止していると制御部６４が判断した場合、制御部６４は、加熱ロール５６及び加圧ロール５８を正転させて、停止していた記録媒体を排出ロール４０及び排出口３４を介して排出するようにしてもよい。
【００５０】
このように、加熱ロール５６及び加圧ロール５８が反転することにより、記録媒体を反転路４６に戻す場合、画像形成装置１０は、排出ロール４０が設けられていない構成にされてもよい。また、加熱ロール５６及び加圧ロール５８が反転することにより、記録媒体が反転方向（反搬送方向）に搬送されるので、反転路４６において記録媒体を反転方向に搬送する搬送ロールを削減することができる。つまり、反転路４６における搬送ロールを駆動する機構も削減することができるので、水平方向にも画像形成装置１０を小型化することができる。
【００５１】
さらに、両面モードの場合には、記録媒体の表面（第１面）に転写された現像剤を記録媒体に定着させる場合よりも、ヒータ６２による加熱量を下げて記録媒体の裏面（第２面）に転写された現像剤像を記録媒体に定着させるようにしてもよい。即ち、一方の面に現像剤像を定着されて反転された記録媒体は、現像剤が定着していない記録媒体よりも温度が高いので、ヒータ６２による加熱量を下げても記録媒体の他方の面に現像剤像が定着される。
また、両面モードの場合、記録媒体が２度加熱されるので、両面に転写された現像剤像それぞれを、片面モードの場合よりも少ない加熱量によって記録媒体に定着させるようにしてもよい。
【図面の簡単な説明】
【００５２】
【図１】本発明の実施形態に係る画像形成装置の概略を示す側面図である。
【図２】画像形成装置が両面モードに設定された場合の制御信号の流れを示すブロック図である。
【図３】画像形成装置が両面モードに設定された場合に、制御部が行う処理（Ｓ１０）を示すフローチャートである。
【符号の説明】
【００５３】
１０    画像形成装置
３２    搬送路
３４    排出口
３６    定着装置
３８    レジストロール
４０    排出ロール
４２    転写ロール
４４    像担持体
４６    反転路
４８    切換爪
５２    第１のセンサ
５６    加熱ロール
５８    加圧ロール
６０    第２のセンサ
６２    ヒータ
６４    制御部
７０    荷重調整機構
７２    第１の駆動部
７４    第２の駆動部
【図１】
2006201442.tif 000003
【図２】
2006201442.tif 000004
【図３】
2006201442.tif 000005